(57)【要約】【課題】製造コストの低減化を図るとともに、光学特性を向上させることができるバックライトユニットを使用した電気光学装置を備えた電子機器を提供する。【解決手段】電子機器は、光源２と、光学部材７と、光学部材７を光源２側から支持するスペーサー８ａ〜８ｅとを備え、光学部材７の面を重力方向に対して平行或いは傾けた状態で配置されるバックライトユニット１０と、バックライトユニット１０の光学部材７から光が出射される面に重ねて配置された表示パネルと、備え、バックライトユニット１０は、光学部材７の面の重力方向に対して上半分の領域Ｓ１に配置されるスペーサー８ａ〜８ｄの数を、光学部材７の面の重力方向に対して下半分の領域Ｓ２に配置されるスペーサー８ｅの数より少ない数とする。【選択図】図４
2010056068.tif 000002
【特許請求の範囲】
【請求項１】
光源と、該光源の光の照射方向に対向して配置された面状の光学部材と、該光学部材を
前記光源側から支持するスペーサーとを備え、前記光学部材の面を重力方向に対して平行
或いは傾けた状態で配置されるバックライトユニットと、
該バックライトユニットの前記光学部材から光が出射される面に重ねて配置された表示
パネルと、を備え、
前記バックライトユニットは、前記光学部材の面の重力方向に対して上半分の領域に配
置されるスペーサーの数を、前記光学部材の面の重力方向に対して下半分の領域に配置さ
れるスペーサーの数より少ない数とすることを特徴とする電子機器。
【請求項２】
前記バックライトユニットは、前記光学部材の前記下半分の領域に少なくとも１つの前
記スペーサーを配置させることを特徴とする請求項１に記載の電子機器。
【請求項３】
光源と、該光源の光の照射方向に対向して配置された面状の光学部材と、該光学部材を
前記光源側から支持するスペーサーとを備え、前記光学部材の面を重力方向に対して平行
或いは傾けた状態で配置されるバックライトユニットと、
該バックライトユニットの前記光学部材から光が出射される面に重ねて配置された表示
パネルと、を備え、
前記バックライトユニットは、基準位置、該基準位置から時計回り又は反時計回りの少
なくとも一方に回転自在に形成されており、前記基準位置、前記時計回りに回転させた位
置、及び前記反時計回りに回転させた位置のいずれにおいても、前記光学部材の面の重力
方向に対して上半分の領域に配置されるスペーサーの数を、前記光学部材の面の重力方向
に対して下半分の領域に配置されるスペーサーの数より少ない数とすることを特徴とする
電子機器。
【請求項４】
前記バックライトユニットは、前記光学部材の前記下半分の領域に配置される前記スペ
ーサーが、前記光学部材の前記下半分の領域のたわみ量が大きくなる位置に配置されるこ
とを特徴とする請求項１乃至請求項３のいずれか１項に記載の電子機器。
【請求項５】
請求項１乃至請求項４のいずれか１項に記載の電子機器は、該電子機器を支持する支持
機構を備え、
前記支持機構は、
前記バックライトユニットを重力方向に対して平行或いは傾けた状態で配置させる支柱
を備えることを特徴とする電子機器。
【請求項６】
前記支持機構は、前記バックライトユニットを、基準位置、該基準位置から時計回り又
は反時計回りの少なくとも一方に回転自在に回転させる回転機構をさらに備えることを特
徴とする請求項５に記載の電子機器。
【発明の詳細な説明】
【技術分野】
【０００１】
本発明は、光学部材を支持するスペーサーを備えた直下型のバックライトユニットを使
用した電気光学装置を備えた電子機器に関するものである。
【背景技術】
【０００２】
液晶表示装置（ＬＣＤ：Ｌiquid  Ｃrystal  Ｄisplay）は、一般に、画像を表示する
表示パネルと、この表示パネルの背面に配置され、表示パネルに向けて光を照射するバッ
クライトユニットとを備えている。
近年、パーソナルコンピューター、ＣＡＤ装置の表示装置として普及している液晶表示
装置は大画面化が図られており、この大画面化の液晶表示装置は、ブラウン管を用いた表
示装置と比較しても見劣りしないような輝度が要求される。
【０００３】
このような大画面化の液晶表示装置は、通常据え置き型として、机上、床上等において
使用されるため、ノートパソコンほどの薄型化は求められないが、それでもその特徴を生
かすために適度の薄型化が求められている。そのため、表示パネルは透過型が採用され、
バックライトユニットは、表示パネルの直下に複数の光源を配置した直下型のバックライ
トユニットが採用されている。
【０００４】
直下型バックライトユニットは、筐体の底面にＬＥＤ等からなる複数の光源が所定の配
列で配置し、前記複数の光源の出射領域である筐体の開口部に、光を分散させる大型の拡
散板（光学部材）を配置することで、複数の光源から均一な光を表示パネルに出射するよ
うになっている。
ここで、大画面の液晶表示装置を縦置きに配置すると、大型の拡散板は、自重により筐
体の底面に向けて撓みやすい。そのため、筐体の底面から突出した複数のスペーサーを拡
散板に配置して支持することで、拡散板の自重による撓みを防止する技術が知られている
（例えば、特許文献１）。
【先行技術文献】
【特許文献】
【０００５】
【特許文献１】特開２００６−２７８０７７号公報
【発明の概要】
【発明が解決しようとする課題】
【０００６】
しかし、上述した特許文献１の技術は、筐体の底面全域に均等に複数のスペーサーを配
置し、それらスペーサーを拡散板の背面全域に配置させて支持しており、底面に多くのス
ペーサーを配置しなければならないので、バックライトユニットの製造コストの面で問題
がある。
また、多くのスペーサーを底面に配置すると、底面に配置した複数の光源の光の出射を
スペーサーが妨げてしまい、バックライトユニットの光学特性が低下してしまうおそれが
ある。
【０００７】
本発明は、上記従来例の未解決の課題に着目してなされたものであり、光学部材を支持
する最小限の数のスペーサーを配置することで製造コストの低減化を図るとともに、光学
特性を向上させることにより、低消費電力で、明るいバックライトユニットを使用した電
気光学装置を備えた電子機器を提供することを目的としている。
【課題を解決するための手段】
【０００８】
上記目的を達成するために、本発明に係る電子機器は、光源と、該光源の光の照射方向
に対向して配置された面状の光学部材と、該光学部材を前記光源側から支持するスペーサ
ーとを備え、前記光学部材の面を重力方向に対して平行或いは傾けた状態で配置されるバ
ックライトユニットと、該バックライトユニットの前記光学部材から光が出射される面に
重ねて配置された表示パネルと、を備え、前記バックライトユニットは、前記光学部材の
面の重力方向に対して上半分の領域に配置されるスペーサーの数を、前記光学部材の面の
重力方向に対して下半分の領域に配置されるスペーサーの数より少ない数とする。
【０００９】
この発明によると、スペーサーの数が減少するので、スペーサーの配置作業に費やす時
間を短縮することができ、バックライトユニットの製造コストの低減化を図ることができ
る。また、たわみ量が大きくなる光学部材の面の重力方向に対して下半分の領域に多くの
スペーサーを当接させているので、拡散板の撓みを抑制することができる。さらに、スペ
ーサーの数が減少することから、光源の光の出射をスペーサーが妨げず、光学部材に向け
て光量、輝度を増大させて光を出射することができるので、光源の光学特性を向上させる
ことができる。
また、この発明によると、バックライトユニットの光学部材は撓みが抑制されて均一な
光が表示パネルに出射するようになっており、しかも、バックライトユニット内部に配置
したスペーサーの数も減少して光源の光学特性が向上しているので、高画質、高輝度の表
示を行うことができる。
【００１０】
また、本発明に係る電子機器では、バックライトユニットは、前記光学部材の前記下半
分の領域に少なくとも１つの前記スペーサーを配置させてもよい。
この発明によると、バックライトユニットの製造コストの低減、光源の光学特性を向上
させることができるとともに、光学部材の撓みを抑制することができる。
【００１１】
また、本発明に係る電子機器は、光源と、該光源の光の照射方向に対向して配置された
面状の光学部材と、該光学部材を前記光源側から支持するスペーサーとを備え、前記光学
部材の面を重力方向に対して平行或いは傾けた状態で配置されるバックライトユニットと
、該バックライトユニットの前記光学部材から光が出射される面に重ねて配置された表示
パネルと、を備え、前記バックライトユニットは、基準位置、該基準位置から時計回り又
は反時計回りの少なくとも一方に回転自在に形成されており、前記基準位置、前記時計回
りに回転させた位置、及び前記反時計回りに回転させた位置のいずれにおいても、前記光
学部材の面の重力方向に対して上半分の領域に配置されるスペーサーの数を、前記光学部
材の面の重力方向に対して下半分の領域に配置されるスペーサーの数より少ない数とする
。
【００１２】
そして、本発明に係る電子機器では、これら回転自在なバックライトユニットは、前記
光学部材の前記下半分の領域に配置される前記スペーサーが、前記光学部材の前記下半分
の領域のたわみ量が大きくなる位置に配置することが好ましい。
これらの発明によると、回転によって上下位置が変更される光学部材は、撓みやすい位
置が変更されるが、基準位置、第１回転位置、或いは第２回転位置において光学部材の下
半分の領域の背面に当接する少なくとも１つのスペーサーが存在しているので、光学部材
の撓みを抑制することができる。
また、この発明によると、基準位置、第１回転位置、或いは第２回転位置においてバッ
クライトユニットの光学部材は撓みが抑制されて均一な光が表示パネルに出射するように
なっており、しかも、バックライトユニット内部に配置したスペーサーの数も減少して光
源の光学特性が向上しているので、高画質、高輝度の表示を行うことができる。
【００１３】
また、本発明に係る電子機器は、該電子機器を支持する支持機構を備え、前記支持機構
は、前記バックライトユニットを重力方向に対して平行或いは傾けた状態で配置させる支
柱を備えてもよい。
この発明によると、電気光学装置の表示パネルの表示領域を重力方向に対して平行或い
は傾けた状態で配置させることが容易にできる。
【００１４】
また、本発明に係る電子機器では、前記支持機構は、前記バックライトユニットを、基
準位置、該基準位置から時計回り又は反時計回りの少なくとも一方に回転自在に回転させ
る回転機構をさらに備えてもよい。
この発明によると、電気光学装置の表示パネルの表示領域を基準位置、該基準位置から
時計回り又は反時計回りの少なくとも一方に回転自在に回転させることが容易にできる。
【図面の簡単な説明】
【００１５】
【図１】第１実施形態に係る電子機器を示す斜視図。
【図２】図１のＡ−Ａ線断面図。
【図３】第１実施形態に係る電子機器の前面を水平方向から見た図。
【図４】第２実施形態に係るバックライトユニットの前面を水平方向から見た図。
【図５】図４のＢ−Ｂ線断面図。
【図６】スペーサーを配置せず面状の光学部材が撓んでいる状態を示す断面図。
【図７】第３実施形態に係るバックライトユニットの前面を水平方向から見た図。
【図８】第４実施形態に係るバックライトユニットの前面を水平方向から見た図。
【図９】第４実施形態に係る基準位置に配置したバックライトユニットの前面を水平方向から見た図。
【図１０】第４実施形態に係る第１回転位置に配置したバックライトユニットの前面を水平方向から見た図。
【図１１】第５実施形態に係る基準位置に配置したバックライトユニットの前面を水平方向から見た図。
【図１２】第５実施形態に係る第１回転位置に配置したバックライトユニットの前面を水平方向から見た図。
【図１３】第６実施形態に係るバックライトユニットの前面を水平方向から見た図。
【図１４】第６実施形態に係るバックライトユニットの前面を水平方向から見た図、（ａ）は、基準位置を示す図、（ｂ）は、時計回りに９０度回転した第１回転位置を示す図、（ｃ）は、反時計回りに９０度回転した第２回転位置を示す図。
【図１５】第７実施形態に係るバックライトユニットの前面を水平方向から見た図、（ａ）は、基準位置を示す図、（ｂ）は、時計回りに９０度回転した第１回転位置を示す図、（ｃ）は、反時計回りに９０度回転した第２回転位置を示す図。
【図１６】第８実施形態に係る電気光学装置を示す側方断面図。
【図１７】第９実施形態に係る電気光学装置を示す側方断面図、（ａ）は、基準位置を示す側方断面図、（ｂ）は、時計回りに９０度回転した第１回転位置を示す側方断面図。
【図１８】第１０実施形態に係る電気光学装置を示す側方断面図、（ａ）は、基準位置を示す側方断面図、（ｂ）は、時計回りに９０度回転した第１回転位置を示す側方断面図、（ｃ）は、反時計回りに９０度回転した第２回転位置を示す側方断面図。
【図１９】変形例に係る電気光学装置を示す側方断面図、（ａ）は、スペーサーを拡散板の液晶表示パネル側に設けた図、（ｂ）は、スペーサーとして拡散板の液晶表示パネル側に突起を設けた図。
【図２０】第１１実施形態に係る電子機器を示す正面図、（ａ）は、横型表示（基準位置）の状態を示し図、（ｂ）は、縦型表示（第１回転位置）の状態を示す図。
【図２１】変形例に係る電子機器を示す側面図、（ａ）は、薄型大画面テレビを壁などに立て掛ける状態を示す図、（ｂ）、（ｃ）は、薄型大画面テレビを壁に掛ける状態を示す図。
【発明を実施するための形態】
【００１６】
以下、本発明を実施するための最良の形態（以下、実施形態という。）を、図面を参照
しながら詳細に説明する。
（第１実施形態：薄型大画面テレビ）
本実施形態に係る電子機器としての薄型大画面テレビについて説明する。
図１は、本実施形態に係る薄型大画面テレビを示す斜視図である。図２は、図１のＡ−
Ａ線断面図である。図３は、本実施形態に係る薄型大画面テレビの前面を水平方向から見
た図である。
薄型大画面テレビ（電子機器）４０は、図１に示すように、薄型大画面テレビ本体４２
と、スピーカーなどの音声出力部４４と、後述する液晶表示装置を適用した薄型大画面テ
レビ用の表示部４６と、支柱としての支持装置４８とを備えている。
本実施形態の表示部４６は、後述するバックライトユニットを備えた液晶表示装置であ
る。
【００１７】
支持装置４８は、図２に示すように、スタンド支柱５０を所定角度内の任意の角度だけ
左右方向に回動可能となるように支持台５２に立設させ、このスタンド支柱５０の上端に
薄型大画面テレビ本体４２を背面から支持する第１回転機構５４を配置させたものである
。第１回転機構５４は、重力方向に対して上下方向、及び重力方向と交差する方向に対し
て左右方向の所定角度内の任意の位置に表示部４６を角度調整可能に支持するものである
。また、表示部４６は上方向に所定の傾斜角度βだけ、また下方向に所定の傾斜角度γだ
け、回動できるように構成されている。薄型大画面テレビ４０は、第１回転機構５４によ
り表示部４６の表示領域を重力方向に対して平行或いは傾けた状態が可能な装置であり、
表示部４６の表示領域を重力方向に対して上方に傾けた状態Ｔ１、表示部４６の表示領域
を重力方向に対して下方に傾けた状態Ｔ２に可変可能な装置である。なお、状態Ｔ０は、
表示部４６の表示領域が重力方向に対して平行な状態である。
【００１８】
また、支持装置４８は、スタンド支柱５０の上端に薄型大画面テレビ本体４２を背面か
ら支持する第２回転機構５６を配置させたものである。第２回転機構５６は、図３に示す
ように、表示部４６の中央位置回りに所定回転角度内の任意の位置に表示部４６を回転調
整可能に支持するものである。薄型大画面テレビ４０は、第２回転機構５６により表示部
４６の中央位置Ｐ回りに±９０度回転可能な装置であり、図３に示す基準位置Ｒ０、時計
回りに９０度回転した第１回転位置Ｒ１、及び反時計回りに９０度回転した第２回転位置
Ｒ２に可変可能な装置である。
以降、バックライトユニットと液晶表示装置とについて詳細に説明する。
【００１９】
（第２実施形態：バックライトユニット）
図４は、本実施形態に係るバックライトユニットの前面を水平方向から見た図、図５は
、図４のＢ−Ｂ線断面図であり重力方向に対して平行、上方又は下方に傾けたバックライ
トユニットを示す図、図６は、スペーサーを配置せずに重力方向に対して上方に傾けたバ
ックライトユニットを示す図である。
【００２０】
本実施形態のバックライトユニット１０は、図４に示すように、有底箱形状の筐体１と
、筐体１の底面１ａに所定の間隔をあけて複数列配置された多数の光源２と、筐体１の縁
部から立ち上がる複数の側壁３〜６に固定され、これら側壁３〜６で画成された開口部を
閉塞する拡散板（光学部材）７と、底面１ａの光源２が配置されていない位置に配置され
、光源２の側から拡散板７を支持する複数のスペーサー８ａ〜８ｅとを備えた装置である
。
【００２１】
そして、本実施形態のバックライトユニット１０は、図５に示すように、拡散板７の面
を重力方向に対して平行、上方又は下方に傾けた状態で使用される装置であり、底面１ａ
に配置した複数のスペーサー８ａ〜８ｅが、拡散板７を光源２側から支持することで、拡
散板７のたわみ変形を抑制している。
ここで、スペーサーに支持されていない拡散板７は、図６に示すように、拡散板７の自
重により底面１ａに向けて撓んでいき、重力方向に対して上方に傾けたバックライトユニ
ットでは、拡散板７の面の重力方向に対して下半分の領域Ｓ２のたわみ量が大きくなる。
【００２２】
これに対して、本実施形態のバックライトユニット１０は、拡散板７の面の重力方向に
対して上半分の領域Ｓ１に配置されるスペーサー８ａ〜８ｃを、拡散板７の面の重力方向
に対して下半分の領域Ｓ２に配置される複数のスペーサー８ｅより少ない数としている。
ここで、本実施形態の基板が底面１ａに対応し、光学部材が拡散板７に対応している。
本実施形態によると、重力方向に対して平行、上方又は下方に傾けて配置されるバック
ライトユニット１０は、従来装置のように筐体の底面全域に均等に複数のスペーサーを配
置せず、拡散板７の上半分の領域Ｓ１に配置されるスペーサー８ａ〜８ｃを、拡散板７の
下半分の領域Ｓ２に配置される複数のスペーサー８ｅより少ない数としており、筐体１の
底面１ａに配置されるスペーサー８ａ〜８ｅ全体の数を減少させているので、スペーサー
８ａ〜８ｅの配置作業に費やす時間を短縮することができ、バックライトユニット１０の
製造コストの低減化を図ることができる。
【００２３】
また、たわみ量が大きくなる拡散板７の下半分の領域Ｓ２に多くのスペーサー８ｅを配
置しているので、拡散板７の撓みを抑制することができる。
さらに、筐体１の底面１ａに配置するスペーサー８ａ〜８ｅの数を減少させることで、
底面１ａに複数列配置されている光源２は、スペーサー８ａ〜８ｅに妨げられずに、拡散
板７に向けて光量、輝度を増大させて光を出射することができるので、光学特性が向上す
ることにより、低消費電力であっても明るいバックライトユニット１０を提供することが
できる。
なお、光源２の側から拡散板７を支持する複数のスペーサー８ａ〜８ｅは、接着材等に
より拡散板７に固定されていてもよい。
【００２４】
（第３実施形態：バックライトユニット）
次に、図７は、本実施形態に係るバックライトユニットの前面を水平方向から見た図で
ある。
本実施形態の重力方向に対して上方に傾けて配置されたバックライトユニット１０は、
拡散板７の面の重力方向に対して下半分の領域Ｓ２のたわみ量が大きくなる位置Ｆに、１
つのスペーサー１１が底面１ａに配置されている。
本実施形態によると、スペーサーの数が大幅に減少するので（１つのスペーサー１１）
、スペーサー１１の配置作業に費やす時間を大幅に短縮することができ、さらにバックラ
イトユニット１０の製造コストを低減することができる。
【００２５】
また、拡散板７の下半分の領域Ｓ２のたわみ量が大きくなる位置Ｆにスペーサー１１を
配置しているので、拡散板７の撓みを抑制することができる。
さらに、スペーサー１１の数を減少させることで、光源２の光学特性をさらに向上させ
ることができる。
なお、本実施形態では、拡散板７の下半分の領域Ｓ２の最大のたわみ量が発生する位置
Ｆに１つのスペーサー１１を配置したが、その位置の近くに２つ以上のスペーサーを配置
してもよい。また、拡散板７の面の下半分の領域Ｓ２及び重力方向に対して上半分の領域
Ｓ１に複数のスペーサーを配置してもよいが、上半分の領域Ｓ１に配置されるスペーサー
の数を、下半分の領域Ｓ２に配置するスペーサーの数より減少させるものとする。
【００２６】
（第４実施形態：バックライトユニット）
次に、図８は、本実施形態に係るバックライトユニットの前面を水平方向から見た図で
ある。図９は、本実施形態に係る基準位置に配置したバックライトユニットの前面を水平
方向から見た図である。図１０は、本実施形態に係る第１回転位置に配置したバックライ
トユニットの前面を水平方向から見た図である。
本実施形態の重力方向に対して上方に傾けて配置されたバックライトユニット１０は、
図８に示すように、筐体１の底面１ａの中央位置Ｐ回りに時計回りに９０度回転可能な装
置であり、図９を基準位置Ｒ０、図１０を時計回りに９０度回転した第１回転位置Ｒ１と
する。
本実施形態は、図９の基準位置Ｒ０で拡散板７の面の重力方向に対して下半分の領域Ｓ
２のたわみ量が大きくなる位置Ｆにスペーサー１２が底面１ａに配置されている。
【００２７】
このスペーサー１２は、バックライトユニット１０が図１０の第１回転位置Ｒ１に回転
した際にも、拡散板７の下半分の領域Ｓ２のたわみ量が大きくなる位置Ｆに配置される。
本実施形態によると、従来装置と比較してスペーサーの数が大幅に減少するので（１つ
のスペーサー１２）、スペーサー１２の配置作業に費やす時間を大幅に短縮することがで
き、バックライトユニット１０の製造コストを低減することができる。
【００２８】
また、スペーサー１２が、基準位置Ｒ０の拡散板７の撓み、第１回転位置Ｒ１の拡散板
７の撓みの両方を抑制するので、バックライトユニット１０が９０度回転しても拡散板７
の撓みを抑制することができる。
さらに、スペーサーの数を減少させることで、光源２の光学特性を向上させることがで
きる。
【００２９】
なお、本実施形態では、基準位置Ｒ０、第１回転位置Ｒ１における拡散板７の下半分の
領域Ｓ２の最大のたわみ量が発生する位置Ｆにスペーサー１２を１つ配置したが、その位
置の近くに２つ以上のスペーサーを配置してもよい。また、基準位置Ｒ０、第１回転位置
Ｒ１における拡散板７の面の下半分の領域Ｓ２及び重力方向に対して上半分の領域Ｓ１に
複数のスペーサーを配置してもよいが、上半分の領域Ｓ１に配置されるスペーサーの数を
、下半分の領域Ｓ２に配置されるスペーサーの数より減少させるものとする。
【００３０】
（第５実施形態：バックライトユニット）
次に、図１１は、本実施形態に係る基準位置に配置したバックライトユニットの前面を
水平方向から見た図である。図１２は、本実施形態に係る第１回転位置に配置したバック
ライトユニットの前面を水平方向から見た図である。
本実施形態の重力方向に対して上方に傾けて配置されたバックライトユニット１０も、
第４実施形態と同様に、筐体１の底面１ａの中央位置Ｐ回りに時計回りに９０度回転可能
な装置であり、図１１を基準位置Ｒ０、図１２を時計回りに９０度回転した第１回転位置
Ｒ１とする。
本実施形態は、図９の基準位置Ｒ０で拡散板７の面の重力方向に対して下半分の領域Ｓ
２のたわみ量が大きくなる位置Ｆに第１スペーサー１３が底面１ａに配置されているとと
もに、第１スペーサー１３に対して図１１の右側位置に、第２スペーサー１４が底面１ａ
に配置されている。
【００３１】
第２スペーサー１４は、バックライトユニット１０が図１２の第１回転位置Ｒ１に回転
した際に、拡散板７の下半分の領域Ｓ２のたわみ量が大きくなる位置Ｆに配置される。
本実施形態によると、従来装置と比較してスペーサーの数が大幅に減少するので（２つ
のスペーサー１３，１４）、スペーサー１３，１４の配置作業に費やす時間を大幅に短縮
することができ、バックライトユニット１０の製造コストを低減することができる。
【００３２】
また、第１スペーサー１３が基準位置Ｒ０の拡散板７の撓みを抑制し、第２スペーサー
１４が第１回転位置Ｒ１の拡散板７の撓みを抑制するので、バックライトユニット１０が
回転しても拡散板７の撓みを抑制することができる。
さらに、スペーサーの数を減少させることで、光源２の光学特性を向上させることがで
きる。
【００３３】
なお、本実施形態では、基準位置Ｒ０、第１回転位置Ｒ１における拡散板７の下半分の
領域Ｓ２のたわみ量が大きくなる位置Ｆに第１及び第２スペーサー１３，１４を１つずつ
配置したが、その位置に２つ以上のスペーサーを配置してもよい。また、基準位置Ｒ０、
第１回転位置Ｒ１における拡散板７の面の下半分の領域Ｓ２及び重力方向に対して上半分
の領域Ｓ１に複数のスペーサーを配置してもよいが、上半分の領域Ｓ１に配置されるスペ
ーサーの数を、下半分の領域Ｓ２に配置されるスペーサーの数より減少させるものとする
。
【００３４】
（第６実施形態：バックライトユニット）
次に、図１３、図１４は、本実施形態に係るバックライトユニットの前面を水平方向か
ら見た図である。
本実施形態の重力方向に対して上方に傾けて配置されたバックライトユニット１０は、
図１３に示すように、筐体１の底面１ａの中央位置Ｐ回りに時計回り、或いは反時計回り
に９０度回転可能な装置であり、図１４（ａ）を基準位置Ｒ０、図１４（ｂ）を時計回り
に９０度回転した第１回転位置Ｒ１、図１４（ｃ）を反時計回りに９０度回転した第２回
転位置Ｒ２とする。
本実施形態は、図１４（ａ）の基準位置Ｒ０で拡散板７の面の重力方向に対して下半分
の領域Ｓ２のたわみ量が大きくなる位置Ｆに第１スペーサー１５及び第２スペーサー１６
が底面１ａに配置されている。
【００３５】
そして、第１スペーサー１５は、バックライトユニット１０が図１４（ｂ）の第１回転
位置Ｒ１に回転した際に、拡散板７の下半分の領域Ｓ２のたわみ量が大きくなる位置Ｆに
配置される。
また、第２スペーサー１６は、バックライトユニット１０が図１４（ｃ）の第２回転位
置Ｒ２に回転した際に、拡散板７の下半分の領域Ｓ２のたわみ量が大きくなる位置Ｆに配
置される。
本実施形態によると、従来装置と比較してスペーサーの数が大幅に減少するので（２つ
のスペーサー１５，１６）、スペーサー１５，１６の配置作業に費やす時間を大幅に短縮
することができ、バックライトユニット１０の製造コストを低減することができる。
【００３６】
また、第１及び第２スペーサー１５，１６が基準位置Ｒ０の拡散板７の撓みを抑制し、
第１スペーサー１５が第１回転位置Ｒ１の拡散板７の撓みを抑制し、第２スペーサー１６
が第２回転位置Ｒ２の拡散板７の撓みを抑制するので、バックライトユニット１０が時計
回り、反時計回りに９０度回転しても拡散板７の撓みを抑制することができる。
さらに、スペーサーの数を減少させることで、光源２の光学特性を向上させることがで
きる。
【００３７】
なお、本実施形態では、基準位置Ｒ０、第１回転位置Ｒ１、第２回転位置Ｒ２における
拡散板７の下半分の領域Ｓ２のたわみ量が大きくなる位置Ｆに第１及び第２スペーサー１
５，１６を１つずつ配置したが、その位置に２つ以上のスペーサーを配置してもよい。ま
た、基準位置Ｒ０、第１回転位置Ｒ１、第２回転位置Ｒ２における拡散板７の面の下半分
の領域Ｓ２及び重力方向に対して上半分の領域Ｓ１に複数のスペーサーを配置してもよい
が、上半分の領域Ｓ１に配置されるスペーサーの数を、下半分の領域Ｓ２に配置されるス
ペーサーの数より減少させるものとする。
【００３８】
（第７実施形態：バックライトユニット）
次に、図１５は、本実施形態に係るバックライトユニットの前面を水平方向から見た図
である。
本実施形態の重力方向に対して上方に傾けて配置されたバックライトユニット１０も、
第６実施形態と同様に、筐体１の底面１ａの中央位置Ｐ回りに時計回り、或いは反時計回
りに９０度回転可能な装置であり、図１５（ａ）を基準位置Ｒ０、図１５（ｂ）を時計回
りに９０度回転した第１回転位置Ｒ１、図１５（ｃ）を反時計回りに９０度回転した第２
回転位置Ｒ２とする。
本実施形態は、図１５（ａ）の基準位置Ｒ０で拡散板７の面の重力方向に対して下半分
の領域Ｓ２のたわみ量が大きくなる位置Ｆに第１スペーサー１７が底面１ａに配置されて
いるとともに、拡散板７の上下中央位置で左右方向に離間して第２スペーサー１８、第３
スペーサー１９が底面１ａに配置されている。
【００３９】
第２スペーサー１８は、バックライトユニット１０が図１５（ｂ）の第１回転位置Ｒ１
に回転した際に、拡散板７の下半分の領域Ｓ２のたわみ量が大きくなる位置Ｆに配置され
る。
また、第３スペーサー１９は、バックライトユニット１０が図１５（ｃ）の第２回転位
置Ｒ２に回転した際に、拡散板７の下半分の領域Ｓ２のたわみ量が大きくなる位置Ｆに配
置される。
本実施形態によると、従来装置と比較してスペーサーの数が大幅に減少するので（３つ
のスペーサー１７，１８，１９）、スペーサー１７，１８，１９の配置作業に費やす時間
を大幅に短縮することができ、バックライトユニット１０の製造コストを低減することが
できる。
【００４０】
また、第１スペーサー１７が基準位置Ｒ０の拡散板７の撓みを抑制し、第２スペーサー
１８が第１回転位置Ｒ１の拡散板７の撓みを抑制し、第３スペーサー１９が第２回転位置
Ｒ２の拡散板７の撓みを抑制するので、バックライトユニット１０が時計回り、反時計回
りに９０度回転しても拡散板７の撓みを抑制することができる。
さらに、スペーサーの数を減少させることで、光源２の光学特性を向上させることがで
きる。
【００４１】
なお、本実施形態では、基準位置Ｒ０、第１回転位置Ｒ１、第２回転位置Ｒ２における
拡散板７の下半分の領域Ｓ２のたわみ量が大きくなる位置Ｆに第１〜第３スペーサー１７
，１８，１９を１つずつ配置したが、その位置に２つ以上のスペーサーを配置してもよい
。また、基準位置Ｒ０、第１回転位置Ｒ１、第２回転位置Ｒ２における拡散板７の面の下
半分の領域Ｓ２及び重力方向に対して上半分の領域Ｓ１に複数のスペーサーを配置しても
よいが、上半分の領域Ｓ１に配置されるスペーサーの数を、下半分の領域Ｓ２に配置され
るスペーサーの数より減少させるものとする。
【００４２】
また、バックライトユニット１０は、図５に破線で示すように、支持装置４８を備え、
支持装置４８の第１回転機構５４により拡散板７の面を重力方向に対して平行或いは傾け
た状態にしてもよいし、さらに、バックライトユニット１０は、支持装置４８の第１回転
機構５４により拡散板７の面を重力方向に対して上方向に所定の傾斜角度βだけ、また重
力方向に対して下方向に所定の傾斜角度γだけ、回動できるように構成されていてもよい
。また、支持装置４８の第２回転機構５６により基準位置Ｒ０、第１回転位置Ｒ１、第２
回転位置Ｒ２に回転してもよい。
【００４３】
また、上記実施形態においてバックライトユニット１０を基準位置Ｒ０に対して時計回
りに９０度回転した第１回転位置Ｒ１、反時計回りに９０度回転した第２回転位置Ｒ２に
可変可能な装置であるとしたが、９０度の回転位置に限定する必要はない。図８及び図１
３に破線で示すように、時計回りに４５度回転した回転位置でもよいし、それ以外の回転
角度でもよい。
【００４４】
（第８実施形態：液晶表示装置）
次に、第２実施形態のバックライトユニット１０を使用した本実施形態に係る電気光学
装置としての液晶表示装置について説明する。
図１６は、本実施形態に係る液晶表示装置を示す側方断面図である。
本実施形態の液晶表示装置２０は、第２実施形態のバックライトユニット１０上に重ね
て配置した液晶表示パネル２１、上偏光板２２、下偏光板２３及び液晶駆動用ＩＣ（不図
示）を備えた装置である。
【００４５】
液晶表示パネル２１は、詳細には図示しないが、液晶層を挟んで対向する前面側基板と
背面側基板とを、それら２枚の基板の周縁部間に枠状に設けたシール材によって接着一体
化したものである。前面側基板は、透明基板である基板本体の液晶層側の面に、透明導電
材料からなる前面側電極や配向膜等を有する液晶配向制御層を形成した構成としている。
背面側基板も、透明基板である基板本体の液晶層側の面に、透明導電材料からなる背面側
電極や配向膜等を有する液晶配向制御層を形成した構成としている。また、前面側基板及
び背面側基板の一方には、他方の外周側に張り出した張出部が設けられており、この張出
部には配線パターンが形成されている。また、前面側基板の前面側電極及び背面側基板の
背面側電極は、張出部に形成した配線パターンに電気的接続されている。そして、張出部
に形成した配線パターンに、液晶表示パネル２１を電気的に駆動する液晶駆動用ＩＣが実
装されている。
【００４６】
そして、前面に層状に上偏光板２２を配置し、背面に層状に下偏光板２３を配置した液
晶表示パネル２１は、バックライトユニット１０の拡散板７に重ねて配置されている。
なお、本発明の表示パネルが液晶表示パネル２１に対応している。
本実施形態によると、バックライトユニット１０の拡散板７は撓みが抑制されて均一な
光が液晶表示パネル２１に出射するようになっており、しかも、バックライトユニット１
０内部に配置したスペーサーの数も減少させて光源２の光学特性が向上しているので、高
画質、高輝度の表示を行う液晶表示装置２０を提供することができる。
【００４７】
（第９実施形態：液晶表示装置）
次に、第４実施形態のバックライトユニット１０を使用した本実施形態に係る電気光学
装置としての液晶表示装置について説明する。
図１７は、本実施形態に係る液晶表示装置を示す側方断面図である。
本実施形態の液晶表示装置２０は、第４実施形態のバックライトユニット１０上に重ね
て配置した液晶表示パネル２１、上偏光板２２、下偏光板２３及び液晶駆動用ＩＣ（不図
示）を備えた装置である。
本実施形態の重力方向に対して上方に傾けて配置された液晶表示装置２０は、図１７（
ａ）に示す基準位置Ｒ０と、図１７（ｂ）に示す９０度回転した第１回転位置Ｒ１とに回
転可能な装置である。
【００４８】
本実施形態は、基準位置Ｒ０、第１回転位置Ｒ１に回転しても、拡散板７の面の重力方
向に対して下半分の領域Ｓ２のたわみ量が大きくなる位置Ｆにスペーサー１２が底面１ａ
に配置され、拡散板７の撓みが抑制されているので、高画質、高輝度の表示を行う液晶表
示装置２０を提供することができる。
なお、第４実施形態のバックライトユニット１０に替えて、図１１及び図１２で示した
第５実施形態のバックライトユニット１０を使用した液晶表示装置２０であっても、同様
の効果を奏することができる。
【００４９】
（第１０実施形態：液晶表示装置）
次に、第６実施形態のバックライトユニット１０を使用した本実施形態に係る電気光学
装置としての液晶表示装置について説明する。
図１８は、本実施形態に係る液晶表示装置を示す側方断面図である。
本実施形態の液晶表示装置２０は、第６実施形態のバックライトユニット１０上に重ね
て配置した液晶表示パネル２１、上偏光板２２、下偏光板２３及び液晶駆動用ＩＣ（不図
示）を備えた装置である。
本実施形態の重力方向に対して上方に傾けて配置された液晶表示装置２０は、図１８（
ａ）に示す基準位置Ｒ０と、図１８（ｂ）に示す時計回りに９０度回転した第１回転位置
Ｒ１と、図１８（ｃ）に示す反時計回りに９０度回転した第２回転位置Ｒ２とに回転可能
な装置である。
【００５０】
本実施形態は、基準位置Ｒ０、第１回転位置Ｒ１、第２回転位置Ｒ２に回転しても、拡
散板７の面の重力方向に対して下半分の領域Ｓ２のたわみ量が大きくなる位置Ｆにスペー
サー１５，１６の少なくとも１つが底面１ａに配置され、拡散板７の撓みが抑制されてい
るので、高画質、高輝度の表示を行う液晶表示装置２０を提供することができる。
なお、第６実施形態のバックライトユニット１０に替えて、図１５で示した第７実施形
態のバックライトユニット１０を使用した液晶表示装置２０であっても、同様の効果を奏
することができる。
【００５１】
なお、液晶表示パネル２１とバックライトユニット１０との間に隙間がある場合、図１
９（ａ）に示すように、スペーサー６０を拡散板７の液晶表示パネル２１側に設けてもよ
い。また、図１９（ｂ）に示すように、スペーサーとして拡散板７の液晶表示パネル２１
側に突起６２を設けてもよい。この場合、スペーサーの位置はバックライトユニット１０
内に設けられたスペーサーと同じ位置でもよいし、異なる位置でもよい。これにより、重
力方向に対して下方に傾けて配置される液晶表示装置２０でも、拡散板７の面の重力方向
に対して下半分の領域Ｓ２のたわみ量が大きくなる位置Ｆにスペーサーが配置され、拡散
板７の撓みが抑制されているので、高画質、高輝度の表示を行う液晶表示装置２０を提供
することができる。
【００５２】
また、液晶表示装置２０は、図１６に破線で示すように、支持装置４８を備え、支持装
置４８の第１回転機構５４により表示領域を重力方向に対して平行或いは傾けた状態にし
てもよい。さらに、液晶表示装置２０は、支持装置４８の第１回転機構５４により表示領
域を重力方向に対して上方向に所定の傾斜角度βだけ、また重力方向に対して下方向に所
定の傾斜角度γだけ、回動できるように構成されていてもよい。また、支持装置４８の第
２回転機構５６により基準位置Ｒ０、第１回転位置Ｒ１、第２回転位置Ｒ２に回転しても
よい。
【００５３】
（第１１実施形態：パーソナルコンピューター）
次に、上記構成の液晶表示装置２０を使用した本実施形態に係る電子機器としてのパー
ソナルコンピューターについて説明する。
図２０は、本実施形態に係るパーソナルコンピューターを示す正面図である。
図２０（ａ）のパーソナルコンピューター３０は、キーボード３１と、本体部３２と、
液晶表示装置２０を適用した縦置きの表示部３３とを備えている。
本実施形態の表示部３３は、第６実施形態、或いは第７実施形態のバックライトユニッ
ト１０を備えた液晶表示装置２０とし、図２０（ａ）の横型表示（基準位置Ｒ０）と、図
２０（ｂ）の縦型表示（第１回転位置Ｒ１）とに可変可能な装置である。
【００５４】
本実施形態のパーソナルコンピューター３０によると、高画質、高輝度の表示を行う表
示部３３を提供することができる。
【００５５】
なお、本実施形態の電子機器は、パーソナルコンピューター３０に限らず、大画面化を
図ったＣＡＤ装置の表示装置等に適用することができる。
また、本実施形態の光学部材は、上記各実施形態で使用した拡散板７に限るものではな
く、拡散シート、或いは拡散板と拡散シートを重ねたものであってもよい。
【００５６】
また、上記実施形態において薄型大画面テレビ４０を基準位置Ｒ０に対して時計回りに
９０度回転した第１回転位置Ｒ１、反時計回りに９０度回転した第２回転位置Ｒ２に可変
可能な装置であるとしたが、９０度の回転位置に限定する必要はない。図３に破線で示す
ように、時計回りに４５度回転した回転位置でもよいし、それ以外の回転角度でもよい。
【００５７】
なお、薄型大画面テレビを支持する支持装置がない構造として、図２１（ａ）に示すよ
うに、薄型大画面テレビを壁などに立て掛ける構造で、薄型大画面テレビの表示部が上方
を向く状態であってもよい。また、図２１（ｂ）に示すように、薄型大画面テレビを壁に
掛ける構造で、薄型大画面テレビの表示部が壁と平行になる状態であってもよい。
また、図２１（ｃ）に示すように、薄型大画面テレビを壁に掛ける構造で、薄型大画面
テレビの表示部が下方を向く状態であってもよい。なお、薄型大画面テレビを天井に固定
する構造で、薄型大画面テレビの表示部が下方を向く状態であってもよい。
【００５８】
（１）光源と、当該光源の光の照射方向に対向して配置された面状の光学部材と、当該
光学部材を前記光源側から支持するスペーサーとを備え、前記光学部材を斜め上方に傾け
た状態で配置されるバックライトユニットであって、前記光学部材の上半分の領域に配置
されるスペーサーの数を、前記光学部材の下半分の領域に配置されるスペーサーの数より
少ない数としたことを特徴とするバックライトユニット。
（２）前記光学部材の下半分の領域に少なくとも１つの前記スペーサーを配置させるこ
とを特徴とする上記（１）に記載のバックライトユニット。
（３）光源と、当該光源の光の照射方向に対向して配置された面状の光学部材と、当該
光学部材を前記光源側から支持するスペーサーとを備え、前記光学部材を斜め上方に傾け
た状態で配置されるバックライトユニットであって、基準位置から時計回り又は反時計回
りのいずれか一方に９０度回転した第１回転位置まで回転自在とされており、前記基準位
置において、前記光学部材の上半分の領域に配置されるスペーサーの数を、前記光学部材
の下半分の領域に配置されるスペーサーの数より少ない数とし、前記基準位置及び前記第
１回転位置のいずれにおいても、前記光学部材の下半分の領域に少なくとも１つの前記ス
ペーサーが配置されることを特徴とする上記（１）に記載のバックライトユニット。
（４）光源と、当該光源の光の照射方向に対向して配置された面状の光学部材と、当該
光学部材を前記光源側から支持するスペーサーとを備え、前記光学部材を斜め上方に傾け
た状態で配置されるバックライトユニットであって、基準位置から時計回りに９０度回転
した第１回転位置と、前記基準位置から反時計回りに９０度回転した第２回転位置と、に
回転自在とされており、前記基準位置において、前記光学部材の上半分の領域に配置され
るスペーサーの数を、前記光学部材の下半分の領域に配置されるスペーサーの数より少な
い数とし、前記基準位置、前記第１回転位置及び前記第２回転位置のいずれにおいても、
前記光学部材の下半分の領域に少なくとも１つの前記スペーサーが配置されることを特徴
とするバックライトユニット。
（５）前記光学部材の下半分の領域に配置される前記スペーサーは、前記光学部材の下
半分の領域のたわみ量が大きくなる位置に配置されることを特徴とする上記（１）乃至（
４）のいずれか１つに記載のバックライトユニット。
（６）上記（１）乃至（５）のいずれか１つに記載のバックライトユニットと、このバ
ックライトユニットの前記光学部材に重ねて配置された表示パネルとを備えた電気光学装
置であって、前記表示パネルは、前記バックライトユニットの前記スペーサーの少ない領
域が、前記表示パネルの表示領域の上部となるように駆動されることを特徴とする電気光
学装置。
（７）上記（３）又は（５）に記載のバックライトユニットと、このバックライトユニ
ットの前記光学部材に重ねて配置された表示パネルとを備えた電気光学装置であって、前
記表示パネルは、前記基準位置において、前記バックライトユニットの前記スペーサーの
少ない領域が、前記表示パネルの表示領域の上部となるように駆動されるとともに、前記
第１回転位置において、前記少なくとも１つのスペーサーが配置される領域が、前記表示
パネルの表示領域の下部となるように駆動されることを特徴とする電気光学装置。
（８）上記（４）又は（５）に記載のバックライトユニットと、このバックライトユニ
ットの前記光学部材に重ねて配置された表示パネルとを備えた電気光学装置であって、前
記表示パネルは、前記基準位置において、前記バックライトユニットの前記スペーサーの
少ない領域が、前記表示パネルの表示領域の上部となるように駆動されるとともに、前記
第１回転位置及び第２回転位置において、前記少なくとも１つのスペーサーが配置される
領域が、前記表示パネルの表示領域の下部となるように駆動されることを特徴とする電気
光学装置。
（９）上記（６）乃至（８）のいずれか１つに記載の電気光学装置を備えていることを
特徴とする電子機器。
【符号の説明】
【００５９】
１…筐体、１ａ…底面、２…光源、３〜６…側壁、７…拡散板、８ａ〜８ｅ…スペーサ
ー、１０…バックライトユニット、１１，１２…スペーサー、１３…第１スペーサー、１
４…第２スペーサー、１５…第１スペーサー、１６…第２スペーサー、１７…第１スペー
サー、１８…第２スペーサー、１９…第３スペーサー、２０…液晶表示装置、２１…液晶
表示パネル、２２…上偏光板、２３…下偏光板、３０…パーソナルコンピューター、３１
…キーボード、３２…本体部、３３…表示部、４０…薄型大画面テレビ、４２…薄型大画
面テレビ本体、４４…音声出力部、４６…表示部、４８…支持装置、５０…スタンド支柱
、５２…支持台、５４…第１回転機構、５６…第２回転機構、６０…スペーサー、６２…
突起。
【図１】
2010056068.tif 000003
【図２】
2010056068.tif 000004
【図３】
2010056068.tif 000005
【図４】
2010056068.tif 000006
【図５】
2010056068.tif 000007
【図６】
2010056068.tif 000008
【図７】
2010056068.tif 000009
【図８】
2010056068.tif 000010
【図９】
2010056068.tif 000011
【図１０】
2010056068.tif 000012
【図１１】
2010056068.tif 000013
【図１２】
2010056068.tif 000014
【図１３】
2010056068.tif 000015
【図１４】
2010056068.tif 000016
【図１５】
2010056068.tif 000017
【図１６】
2010056068.tif 000018
【図１７】
2010056068.tif 000019
【図１８】
2010056068.tif 000020
【図１９】
2010056068.tif 000021
【図２０】
2010056068.tif 000022
【図２１】
2010056068.tif 000023